(57)【要約】【課題】シートを分離する分離片が設けられた傾斜部材の高さを低くすることができる手段を提供する。【解決手段】プリンタ１１は、複数枚の記録用紙が載置される底板２１を有する給紙カセット２０と、給紙カセット２０に載置された記録用紙を給送向き１０４へ送り出す給送部２９と、給紙カセット２０に設けられた傾斜部材２４と、傾斜部材２４に一体に設けられて傾斜面２６から突出された第１分離片５１と、第１分離片５１より給送向き１０４上流側に配置された金属製の第２分離片５２と、傾斜部材２４に係合されており、第２分離片５２を構成するバネ板材６０の弾性足６１を支持して第２分離片５２を傾斜部材２４に対して固定するカバー５７とを具備する。【選択図】図４
2011073835.tif 000002
【特許請求の範囲】
【請求項１】
複数枚のシートが積層されて載置される載置面を有する載置部と、
上記載置部においてシートの先端側に配置されており、上記載置面に対して傾斜された傾斜面を有する傾斜部材と、
上記載置部に載置されたシートを上記傾斜部材に案内させながら給送向きへ送り出す給送部と、
上記傾斜部材に一体に設けられ、先端が基端よりも給送向き下流側へ向かって延びて上記傾斜面から上記載置面側へ突出された弾性変形可能な第１分離片と、
上記第１分離片より給送向き上流側に配置され、上記傾斜部材に形成された開口から上記載置面側へ突出されており、上記給送向きに沿った方向に並べられた複数の金属製の第２分離片と、
上記傾斜部材における上記載置面と反対側に係合されており、上記第２分離片の縁部を支持して上記第２分離片を上記傾斜部材に対して固定する固定部材と、を具備するものであるシート搬送装置。
【請求項２】
上記第１分離片と上記複数の第２分離片とは、給送向きに沿った列をなすものである請求項１に記載のシート搬送装置。
【請求項３】
上記第１分離片は、給送向きに沿って複数が並べられたものである請求項１又は２に記載のシート搬送装置。
【請求項４】
上記第１分離片は、その先端が、給送向き上流側に隣り合って配置された他の第１分離片の基端より、給送向き下流側へ延出されたものである請求項３に記載のシート搬送装置。
【請求項５】
上記第１分離片は、載置部に載置可能な最大枚数のシートのうち最上位に位置するシートより上側に配置されたものである請求項１から４のいずれかに記載のシート搬送装置。
【請求項６】
請求項１から５のいずれかに記載のシート搬送装置と、
上記給送部によって搬送路へ供給されたシートに画像を記録する記録手段と、を備える画像記録装置。
【発明の詳細な説明】
【技術分野】
【０００１】
本発明は、載置部に載置されたシートを傾斜部材に沿って給送するときに、分離片によってシートを分離するシート搬送装置、及びこのシート搬送装置が搭載された画像記録装置に関する。
【背景技術】
【０００２】
インクジェットプリンタなどの画像記録装置は、給紙トレイに収容されている記録用紙をローラの回転力によって搬送路へ供給するシート搬送装置を備えている。ローラが給紙トレイ上の記録用紙に当接した状態で回転することにより、ローラの回転力が記録用紙に伝達され、給紙トレイから搬送路へ記録用紙が繰り出される。この種のシート搬送装置において、給紙トレイ上の複数枚の記録用紙が一度に給送される所謂重送を防止するために、給紙トレイの先端側に設けられた傾斜ガイド面に、金属製の分離片が設けられた構成が知られている（特許文献１）。
【先行技術文献】
【特許文献】
【０００３】
【特許文献１】特開２００６−１８２４８１号公報
【発明の概要】
【発明が解決しようとする課題】
【０００４】
前述された分離片は、１枚の金属板を所定の形状に打ち抜き、金属板に対して複数の分離片を起立させるように折り曲げることによって形成されている。そして、傾斜ガイド面を形成するガイド板の裏側から、そのガイド板に形成された窓に各分離片がそれぞれ挿通されることによって、傾斜ガイド面から各分離片が突出されている。
【０００５】
前述された金属板をガイド板の所定位置に固定するために、ガイド板の裏側には、金属板をガイド板へ押さえ付け、かつ金属板の縁を支持し且つ全体を覆うカバーが設けられている。このカバー及びガイド板は合成樹脂製の成型品であり、ガイド板に対してカバーが係合されて固定されている。金属板を覆うカバーは金属板より大きいので、ガイド板の傾斜ガイド面から突出しないようにカバーを取り付けるために、ガイド板はカバーより十分に大きな寸法に設計される。しかしながら、画像記録装置においては薄型化・小型化の要請があり、ガイド板も可能な限り高さ寸法を抑えることが望ましい。
【０００６】
本発明は、前述された問題に鑑みてなされたものであり、シートを分離する分離片が設けられた傾斜部材の高さを低くすることができる手段を提供することを目的とする。
【課題を解決するための手段】
【０００７】
本発明に係るシート搬送装置は、複数枚のシートが積層されて載置される載置面を有する載置部と、上記載置部においてシートの先端側に配置されており、上記載置面に対して傾斜された傾斜面を有する傾斜部材と、上記載置部に載置されたシートを上記傾斜部材に案内させながら給送向きへ送り出す給送部と、上記傾斜部材に一体に設けられ、先端が基端よりも給送向き下流側へ向かって延びて上記傾斜面から上記載置面側へ突出された弾性変形可能な第１分離片と、上記第１分離片より給送向き上流側に配置され、上記傾斜部材に形成された開口から上記載置面側へ突出されており、上記給送向きに沿った方向に並べられた複数の金属製の第２分離片と、上記傾斜部材における上記載置面と反対側に係合されており、上記第２分離片の縁部を支持して上記第２分離片を上記傾斜部材に対して固定する固定部材と、を具備するものである。
【０００８】
載置部に載置されたシートは給送部によって送り出される。送り出されたシートは傾斜部材によって斜め上側へ、つまり給送向きへ案内される。このとき、シートの先端が傾斜部材の傾斜面に対して摺動する。傾斜面には第１分離片及び第２分離片が突出しているので、シートの先端が第１分離片又は第２分離片によって捌かれて、複数枚のシートが重なって送られる重送が防止される。また、第１分離片又は第２分離片によって、載置部にシートが載置されるときに傾斜面に当接したシートが、傾斜面に沿って給送向きへ進行することが防止される。
【０００９】
傾斜部材において、第１分離片が複数の第２分離片より上側に配置されている。したがって、分離性能を低下させることなく第２分離片の大きさを小さくすることができる。第２分離片が小さくされると、第２分離片の縁部を支持する固定部材も小さくなるので、傾斜部材を低くすることができる。
【発明の効果】
【００１０】
本発明によれば、傾斜部材において、傾斜部材と一体に形成された第１分離片が金属製の第２分離片より上側に配置されているので、第２分離片を固定する固定部材を小さくすることができる。これにより、傾斜部材の高さを低くすることができ、装置の薄型化・小型化が実現され得る。
【図面の簡単な説明】
【００１１】
【図１】本発明の実施形態に係るプリンタ１１の内部構成を示す模式図である。
【図２】傾斜部材２４の傾斜面２６側の外観構成を示す斜視図である。
【図３】傾斜部材２４の面２７側の外観構成を示す斜視図である。
【図４】傾斜部材２４の分解斜視図である。
【図５】図２におけるV-V切断線の断面構造を示す断面図である。
【図６】図５におけるVI矢視領域の断面構造を示す拡大断面図である。
【発明を実施するための形態】
【００１２】
以下、適宜図面が参照されながらて、本発明の好ましい実施形態が説明される。なお、本実施形態は本発明の一例にすぎず、本発明の要旨が変更されない範囲で適宜変更され得る。
【００１３】
［プリンタ１１の内部構成］
図１に示されるように、プリンタ１１は、給紙カセット２０から給送された記録用紙が搬送される搬送路２３と、搬送路２３に設けられた記録部２５とを備えている。本実施形態では、プリンタ１１は、プリント機能のみを有するものとして説明されるが、プリント機能の他に、スキャン機能やファクシミリ機能、コピー機能などの各種の機能を有する複合機としてプリンタ１１が実現されてもよい。プリンタ１１が本発明に係るシート搬送装置を備えた画像記録装置に相当する。
【００１４】
なお、本実施形態においては、矢印１０１で示される方向がプリンタ１１の幅方向であり、矢印１０２で示される方向がプリンタ１１の高さ方向であり、矢印１０３で示される方向がプリンタ１１の奥行き方向である。
【００１５】
［給紙カセット２０］
図１に示されるように、給紙カセット２０は、プリンタ１１の正面側（図１における右側）から胴内空間１５へ奥行き方向１０３に沿って挿抜可能に設けられている。給紙カセット２０は、上面の一部が開口された矩形の箱状である。給紙カセット２０の底板２１上には、複数枚の記録用紙が積層された状態に載置される。給紙カセット２０に積載された記録用紙は、給紙ローラ３０によって搬送路２３に給送される。排紙トレイ２２は、給紙カセット２０の上面の一部として構成されている。搬送路２３から排出された記録用紙は、排紙トレイ２２に積載される。この給紙カセット２０が、本発明における載置部に相当する。底板２１の上面が、本発明における載置面に相当する。また、本実施形態において記録用紙は、本発明におけるシートの一例である。
【００１６】
給紙カセット２０における装置奥側には、底板２１に対して起立する傾斜部材２４が設けられている。傾斜部材２４は、底板２１に載置される記録用紙より給送向き１０４の下流側に配置されて、幅方向１０１に沿って延びる平板形状である。傾斜部材２４の上端側は、下端側より給送向き１０４の下流側に位置するように傾斜されており、この傾斜によって、記録用紙の先端が当接する傾斜面２６が、底板２１に載置される記録用紙に向かって形成されている。底板２１の上面は、記録用紙が給送される姿勢において水平面に近く、この上面と傾斜面とが所定の角度をなしている。傾斜部材２４の詳細な構成は後述される。
【００１７】
［搬送路２３］
図１に示されるように、搬送路２３は、記録用紙が湾曲されて案内される湾曲部３２と、記録用紙が直線状に延びて案内される直線部３３とを有する。湾曲部３２は、給紙カセット２０の奥側（図１における左側）から上方へ向かって延びながら装置正面側（図１における右側）へ湾曲している。直線部３３は、湾曲部３２から装置正面側へ向かって排紙トレイ２２付近まで直線状に延びている。記録用紙は給紙カセット２０から湾曲部３２及び直線部３３へ順次搬送される。この湾曲部３２及び直線部３３によって、搬送路２３は、いわゆるＵターンパスを形成している。
【００１８】
［給送部２９］
図１に示されるように、給送部２９は、給紙ローラ３０及びアーム３１を有する。給紙ローラ３０は、アーム３１の先端に回転自在に軸支されている。アーム３１は、幅方向１０１を軸方向とする支軸２８周りに回動可能である。給紙ローラ３０は、アーム３１の回動によって給紙カセット２０の内部空間へ進入して、底板２１に積載された最上位置の記録用紙と接触する。給紙ローラ３０は、不図示のモータから駆動伝達されて回転される。給紙ローラ３０が給紙カセット２０の記録用紙に圧接された状態で給紙ローラ３０が回転されると、給紙ローラ３０との摩擦力によって、最上位置の記録用紙が搬送路２３へ給送される。
【００１９】
前述された給送部２９及び給紙カセット２０によって、本発明に係るシート搬送装置が実現されている。
【００２０】
［搬送手段］
搬送路２３の直線部３３には、搬送ローラ４１及びピンチローラ４２が設けられている。搬送ローラ４１及びピンチローラ４２は、記録用紙の搬送向きにおいて記録部２５より上流側に配置されている。搬送ローラ４１及びピンチローラ４２は対をなしている。ピンチローラ４２は、搬送ローラ４１に対して接離可能であって、搬送ローラ４１に圧接するようにバネ付勢されている。搬送ローラ４１は、不図示のモータから駆動伝達されて回転される。搬送ローラ４１及びピンチローラ４２に挟持された記録用紙は、搬送ローラ４１の回転を受けて記録部２５へ向かって搬送される。
【００２１】
搬送路２３の直線部３３には、排紙ローラ４３及び拍車４４が設けられている。排紙ローラ４３及び拍車４４は、記録用紙の搬送向きにおいて記録部２５より下流側に配置されている。排紙ローラ４３及び拍車４４は対をなしている。拍車４４は、排紙ローラ４３に対して接離可能であって、排紙ローラ４３に圧接するようにバネ付勢されている。排紙ローラ４３は、不図示のモータから駆動伝達されて回転される。排紙ローラ４３の回転は搬送ローラ４１の回転と同期されている。排紙ローラ４３及び拍車４４に挟持された記録用紙は、排紙ローラ４３の回転を受けて排紙トレイ２２へ向かって搬送される。
【００２２】
［記録部２５］
図１に示されるように、記録部２５は、搬送路２３の直線部３３に配置されており、キャリッジ４６及びプラテン４７を備えている。キャリッジ４６は、直線部３３を挟んでプラテン４７の上側に配置されている。キャリッジ４６には、記録ヘッド４８が搭載されている。同図には現れていないが、記録ヘッド４８は、インク滴を吐出するノズルを有している。このノズルの開口がプラテン４７側へ露出された状態で、記録ヘッド４８がキャリッジ４６に搭載されている。
【００２３】
キャリッジ４６は、不図示のモータから駆動伝達されて、記録ヘッド４８とともに幅方向１０１（図１において紙面に垂直な方向）へ往復移動する。キャリッジ４６は、幅方向１０１へ延びるガイドレール３５と係合されていることによって奥行き方向１０３へ移動することがない。
【００２４】
キャリッジ４６が幅方向１０１へ移動されながら、記録ヘッド４８から微小なインク滴がプラテン４７上の記録用紙へ向かって選択的に吐出される。吐出されたインク滴が記録用紙に着弾することによって、記録用紙に画像が記録される。なお、インクは、図示されていないインクカートリッジから記録ヘッド４８へ供給される。この記録部２５が、本発明における記録手段に相当する。
【００２５】
［傾斜部材２４］
図２に示されるように、傾斜部材２４は、幅方向１０１へ細長な平板形状である。傾斜部材２４の幅方向１０１に沿った寸法は、給紙カセット２０に積載可能な最大サイズの記録用紙の幅より大きく設定されている。傾斜部材２４において、給紙カセット２０に積載された記録用紙側を向く面（図２において現れている面）が、本実施形態において傾斜面２６と称される。この傾斜面２６は、平面であっても、幅方向１０１に沿って若干湾曲された曲面であってもよい。傾斜面２６は、給送部２９によって送り出される記録用紙の先端と当接して、記録用紙を斜め上側へ案内する。記録用紙の案内を円滑にするために、傾斜面２６は、摺動抵抗の低い素材で構成される。
【００２６】
傾斜面２６が底板２１の上面に対して傾斜する角度は、給紙カセット２０の底面２１に載置された記録用紙が送り出されて、その先端が当接したときに、記録用紙が停止することなく撓んで、斜め上側へ進行方向を変えるに適した角度に設定されている。傾斜面２６が底板２１の上面に対してなす角度が９０°に近くなると、つまり、傾斜面２６が鉛直方向に沿った面に近づくと、記録用紙の先端が当接すると記録用紙が停止しやすくなり、いわゆる記録用紙の空送が生じやすくなる。一方、傾斜面２６が底板２１の上面に対してなす角度が０°に近くづくと、傾斜面２６の高さが低くなり、その結果、給紙カセット２０に積載可能な記録用紙の枚数が少なくなる。したがって、傾斜面２６の角度は、記録用紙の円滑な案内の実現と、給紙カセット２０に積載される枚数とを考慮して、適宜設定されている。
【００２７】
図２に示されるように、傾斜部材２４の傾斜面２６には、第１分離片５１及び第２分離片５２が設けられている。第１分離片５１は、傾斜部材２４と一体に形成された弾性変形可能なものである。例えば、傾斜部材２４が合成樹脂製であれば、第１分離片５１は、傾斜部材２４と一体に成形されたものである。本実施形態では、４個の第１分離片５１が、幅方向１０１における給紙ローラ３０の中心と同じ位置であって、傾斜面２６における幅方向１０１の中央において、給送向き１０４に沿って一列に配置されている。
【００２８】
図５に示されるように、第１分離片５１は、その全てが、給紙カセット２０の底板２１に載置可能な最大枚数の記録用紙のうち最上位に位置する記録用紙の先端が当接する位置１０５より上側に配置されている。各第１分離片５１は、傾斜面２６から給紙カセット２０の底板２１へ向かって突出されている。第１分離片５１は、基端５４から２つのアームが延出されて先端５３において連結されたものである。図６に示されるように、各第１分離片５１は、傾斜面２６に対して給送向き１０４へ向かって斜めに突出されており、その突出向きの先端５３側が基端５４側より給送向き１０４の下流側へ向かって延びている。第１分離片５１は、記録用紙との当接によって傾斜面２６側へ倒伏するように弾性変形可能である。
【００２９】
図６に示されるように、各第１分離片５１が給送向き１０４へ突出する長さは、その給送向き１０４の下流側に隣り合って配置された別の第１分離片５１の基端５４より、その先端５３が給送向き１０４の下流側となる長さである。つまり、各第１分離片５１は、傾斜面２６に対して鉛直な方向から見たときに、給送向き１０４の下流側に隣り合って配置された別の第１分離片５１と一部がオーバーラップしている。したがって、先端５３は、給送向き１０４の下流側に隣り合って配置された別の第１分離片５１の基端５４における２つのアームの間に位置している。
【００３０】
図２に示されるように、各第１分離片５１は、一方のアームから他方のアームまでの幅方向１０１の幅が、基端５４側から先端５３側へ向かって次第に狭くなるような先細り形状である。換言すると、各第１分離片５１の外形は、傾斜面２６に対して鉛直な方向から見たときに、先端５３の幅が基端５４の幅より狭い台形である。
【００３１】
図２に示されるように、傾斜部材２４の傾斜面２６には、第１分離片５１より給送向き１０４上流側に第２分離片５２が設けられている。第２分離片５２は、傾斜面２６における幅方向１０１の中央において、第１分離片５１と共に給送向き１０４に沿って一列をなすように配置されている。
【００３２】
図４に示されるように、第２分離片５２は、傾斜部材２４とは別体である金属製のバネ板材６０から形成されたものである。バネ板材６０は、１枚のバネ板材が打ち抜き及び折り曲げ加工されたものである。バネ板材６０の幅方向１０１における両側には、複数の弾性足６１が延出されている。この弾性足６１は、傾斜部材２４から離れる向きへ延びるように若干折り曲げられている。この弾性足６１が、本発明における縁部に相当する。
【００３３】
バネ板材６０の幅方向１０１の中央には、打ち抜き及び折り曲げ加工により６個の第２分離片５２が形成されている。第２分離片５２は、バネ板材６０から傾斜部材２４へ向かって起立するように形成され、さらに所定方向へ折り曲げられている。第２分離片５２がバネ板材６０から起立する寸法は、傾斜部材２４の厚みに対応して設定されており、図２に示されるように、傾斜部材２４にバネ板材６０が組み付けられると、第２分離片５２は傾斜面２６から底板２１側へ突出される。
【００３４】
図４に示されるように、傾斜部材２４における傾斜面２６と反対側の面２７には、その幅方向１０１の中央に、バネ板材６０を配置すべく、箱形状をなす壁５５が面２７から起立するように設けられている。バネ板材６０は、壁５５によって囲まれる空間に配置されて面２７に当接される。壁５５によって囲まれた面２７には、第２分離片５２を面２７側から底板２１側（用紙収容側）へ挿通させるための開口５６が形成されている。各開口５６は、第１分離片５１より給送向き１０４上流側に配置されている。各開口５６は、傾斜部材２４を厚み方向に貫通するものであり、幅方向１０１の中央において給送向き１０４に沿って所定間隔で形成されている。開口５６の数やピッチは、第２分離片５２の数やピッチに対応されている。また、開口５６の給送向き１０４に沿った大きさは、第２分離片５２において傾斜面２６より突出している部分の長さより十分に大きい。したがって、第２分離片５２は、開口５６から突出された状態において、給送向き１０４に沿った方向へ弾性変形可能である。
【００３５】
図３に示されるように、面２７から起立された壁５５には、カバー５７が係合される。カバー５７は、壁５５の内側に嵌め込み可能な大きさの箱形状であり、バネ板材６０を完全に覆うことが可能な大きさである。図４に示されるように、壁５５には、幅方向１０１に離間された一対の切欠き５８が形成されており、この切欠き５８に対応して、カバー５７には、幅方向１０１に沿って各々が突出する凸部５９が設けられている。この凸部５９が切欠き５８に嵌め込まれることによって、壁５５の給送向き１０４に対してカバー５７の位置決めがなされる。このカバー５７が、本発明における固定部材に相当する。
【００３６】
図４に示されるように、カバー５７において傾斜部材２４の面２７と対向する位置には、給送向き１０４に沿って延びる一対の押さえ部６３が設けられている。一対の押さえ部６３は、幅方向１０１に離間されて設けられており、各々が給送向き１０４に沿って延びる。壁５５の上端側には、各押さえ部６３の上端が挿通される一対の貫通孔６４が幅方向１０１に離間されて形成されている。
【００３７】
また、図２及び図４に示されるように、カバー５７の下端には、傾斜部材２４と係合可能な一対のフック部６５が幅方向１０１に離間されて設けられている。傾斜部材２４の面２７における壁５５の内側の下端付近には、幅方向１０１に離間された一対の貫通孔６２が形成されている。各貫通孔６２は、各フック部６５に対応して配置されている。押さえ部６３の上端が貫通孔６４に挿通された状態で、フック部６５が貫通孔６２に挿通されて傾斜部材２４と係合されることによって、カバー５７が傾斜部材２４に組み付けられる。
【００３８】
図５に示されるように、カバー５７が傾斜部材２４に組み付けられた状態において、押さえ部６３がバネ板材６０の弾性足６１を面２７との間に挟み込むように支持する。弾性足６１が面２７側へ弾性変形されると、バネ板材６０には、その弾性変形を復元させる力が作用して、第２分離片５２が開口５６が突出する向きへ付勢される。
【００３９】
［記録用紙の分離］
給紙カセット２０の装置正面側から底板２１上へ複数枚の記録用紙が挿入される。挿入された記録用紙は底板２１上、またはそれより下位にある他の記録用紙上を摺動して、その先端が傾斜面２６に当接する。記録用紙が給紙カセット２０へ勢いよく装填されると、その先端が傾斜面２６に沿って斜め上側へ進もうとするが、位置１０５より下側に配置された第２分離片５２と当接することによって、位置１０５より上側へ進むことが防止される。
【００４０】
給送部２９が動作されると、給紙カセット２０の底板２１に載置された複数枚の記録用紙のうち最上位の記録用紙は、給紙ローラ３０の回転を受けて給送向き１０４へ送り出される。このとき、記録用紙間の摩擦や静電気などによって、最上位の記録用紙の下位にある記録用紙も、最上位の記録用紙と共に給送向き１０４へ送り出されることがある。それら記録用紙の先端は、傾斜面２６に沿って斜め上側へ案内される際に、少なくとも第１分離片５１又は第２分離片５２の一方と当接する。
【００４１】
記録用紙の先端は、第１分離片５１又は第２分離片５２に対して摺動しながら給送向き１０４へ進行する。第１分離片５１及び第２分離片５２は、その傾き（底板２１の上面と第１分離片５１又は第２分離片５２において記録用紙が当接する面とが成す角度）が傾斜面２６と底面２１の上面とが成す角度よりも大きく、傾斜面２６から底板２１上の記録用紙側へ突出されていることによって、記録用紙の先端において、給送向き１０４に対していわばブレーキ的な役割を果たす。これによって、第１分離片５１又は第２分離片５２に対して摺動する記録用紙のうち、給送向き１０４へ送り出される力が弱い記録用紙、つまり、給紙ローラ３０と接触している最上位の記録用紙以外の記録用紙に対して、第１分離片５１又は第２分離片５２のブレーキ的な作用が発揮される。
【００４２】
１個の第１分離片５１又は第２分離片５２の作用によっても最上位以外の記録用紙が完全に止められずに、その第１分離片５１又は第２分離片５２を記録用紙の先端が乗り越えると、それらの記録用紙は、給送向き１０４の下流側に配置された次の第１分離片５１又は第２分離片５２と当接する。傾斜面２６に設けられた複数の第１分離片５１は、一部オーバーラップしているので、記録用紙の先端が第１分離片５１を乗り越えると、傾斜面２６に接触することなく次の第１分離片５１に当接する。したがって、各第１分離片５１間においても、常に記録用紙に対して、前述されたブレーキ的な作用が発揮される。
【００４３】
第２分離片５２は、第１分離片５１のようにオーバーラップしていないが、記録用紙の先端が次の第２分離片５２に到達すると、同様に、前述されたブレーキ的な作用が発揮される。仮に、全ての第２分離片５２を記録用紙の先端が乗り越えたとしても、第２分離片５２の給送向き１０４下流側には第１分離片５１が配置されているので、記録用紙の先端が第１分離片５１を乗り越えるたびに前述したブレーキ的な作用が繰り返されて、記録用紙の先端が捌かれる。
【００４４】
［本実施形態の作用効果］
本実施形態によれば、傾斜面２６には給送向き１０４に沿って第１分離片５１及び第２分離片５２が列をなして突出しているので、記録用紙の先端が第１分離片５１又は第２分離片５２によって捌かれて、複数枚の記録用紙が重なって送られる重送が防止される。
【００４５】
また、傾斜部材２４において、第１分離片５１が第２分離片５２より上側に配置されているので、分離性能を低下させることなく第２分離片５２の大きさを小さくすることができる。第２分離片５２が小さくされるとバネ板材６０も小さくなり、その弾性足６１を支持するカバー５７も小さくなるので、傾斜部材２４を高さ方向１０２に対して低くすることができる。これにより、給紙カセット２０が薄型化され、プリンタ１１全体の薄型化が実現される。
【００４６】
また、第１分離片５１は、その先端５３が、給送向き１０４上流側に隣り合って配置された他の第１分離片５１の基端５４側より、給送向き１０４下流側へ延出されているので、記録用紙の先端が第１分離片５１を乗り越えると、傾斜面２６に接触することなく次の第１分離片５１に当接するので、常に記録用紙に対してブレーキ的な作用が発揮されて分離性能が向上される。
【００４７】
また、第１分離片５１は、給紙カセット２０の底板２１に載置可能な最大枚数の記録用紙のうち最上位に位置する記録用紙の先端の位置１０５より上側に配置されているので、給紙カセット２０の底板２１上に記録用紙が載置されるときに、傾斜面２６に当接した記録用紙の先端が第２分離片５２と当接して、傾斜面２６に沿って給送向き１０４へ進行することが防止される。この第２分離片５２は、合成樹脂と比較して経時的に変化しにくい金属製の部材なので、記録用紙が装填されるときに、記録用紙の先端が給紙カセット２０から飛び出すことを防止する効果が、経時的に安定して得られる。
【００４８】
また、第１分離片５１及び第２分離片５２は、給送向き１０４に沿った列をなすものであるので、給送される記録用紙の先端は、幅方向１０１において常に同じ位置で第１分離片５１及び第２分離片５２と当接する。これにより、第１分離片５１及び第２分離片５２と当接することによる記録用紙の斜行を防止するために、第１分離片５１、第２分離片５２、給紙ローラ３０などをレイアウト設計することが容易である。
【００４９】
また、第２分離片５２が、給送向き１０４に沿った複数並べられているので、給送される記録用紙の先端が第２分離片５２と当接する回数が増える。これにより、記録用紙の分離性能が向上される。
【００５０】
なお、第１分離片５１及び第２分離片５２は、幅方向１０１において異なる位置に配置されてよく、また、第１分離片５１及び第２分離片５２による列が、幅方向１０１に複数設けられてもよい。
【００５１】
また、第１分離片５１は、必ずしも複数設けられる必要はなく、少なくとも１つ以上あればよい。また、第１分離片５１が複数設けられる態様であっても、各第１分離片５１を相互にオーバーラップさせなくてもよい。
【００５２】
また、第１分離片５１が設けられる位置は、給紙カセット２０の底板２１上に載置可能な最大枚数の記録用紙のうち、最上位に位置する記録用紙の先端に対して上側であっても下側であってもよい。
【００５３】
また、傾斜部材２４は、記録用紙の先端側に配置されていればよく、必ずしも給紙カセット２０に一体に設けられる必要はない。したがって、例えば、給紙カセット２０とは独立して、プリンタ１１に設けられていてもよい。
【符号の説明】
【００５４】
１１・・・プリンタ（画像記録装置）
２０・・・給紙カセット（載置部）
２１・・・底板（載置面）
２３・・・搬送路
２４・・・傾斜部材
２５・・・記録部（記録手段）
２６・・・傾斜面
２９・・・給送部
５１・・・第１分離片
５２・・・第２分離片
５３・・・先端
５４・・・基端
５６・・・開口
５７・・・カバー（固定部材）
６１・・・弾性足（縁部）
【図１】
2011073835.tif 000003
【図２】
2011073835.tif 000004
【図３】
2011073835.tif 000005
【図４】
2011073835.tif 000006
【図５】
2011073835.tif 000007
【図６】
2011073835.tif 000008